(57)【要約】【課題】連結金具及び連結に用いるボルトやナットに幼児の手や指が直接手を触れ難くなるようにし、ケガや痛みを生じさせない安全な連結金具を安価に得る。【解決手段】金具本体５の上面を緩衝体１０で覆い、その緩衝体１０のボルト通し孔対応位置１５に、ボルト止めするボルト締付手段の受け板部上での高さ寸法より大きい寸法の深さの座ぐり部１６を設けた。【選択図】図１
2007127204.tif 000002
【特許請求の範囲】
【請求項１】
遊具設備の柵パネルなどの設備構成部材と遊具設備の支承体である円支柱とを連結する連結金具において、
前記円支柱に対してこの円支柱を間に挟み込むようにして一対にして取り付けられ、金具それぞれが、円支柱の外周面形状に対応する略円弧状の湾曲板部にこの湾曲板部の両端から円支柱の外方側に向けて屈曲されてボルト通し孔が開口されている受け板部を設けて、円支柱に一対にして取り付けたときに対向する前記受け板部の間に前記設備構成部材の連結部位を位置させて受け板部とともにボルト止めする金具本体と、前記金具本体の裏面及び周端面と前記受け板部でのボルト通し孔の周囲を除く表面と前記湾曲板部での表面とに分離困難に密着して覆う弾性ゴムによる緩衝体とからなり、
前記緩衝体の上面は湾曲板部頂上対応部位で曲面とするとともに、この曲面とされた湾曲板部頂上対応部位から受け板部対応部位にかけて直線状に傾斜した平面とし、ボルト通し孔対応位置に、前記弾性ゴムを非存在にしてボルト止めするボルト締付手段の受け板部上での高さ寸法より大きい寸法の深さの座ぐり部を設けたことを特徴とする遊戯設備用連結金具。
【発明の詳細な説明】
【技術分野】
【０００１】
本発明は滑り台や階段、柵パネル、壁パネルなどの設備構成部材を組み合わせながら円支柱に支承させてなる遊具設備の前記円支柱と前記設備構成部材とを連結する連結金具に関するものである。
【背景技術】
【０００２】
従来、公園などの屋外で幼児が遊ぶことができる設備として滑り台やジャングルジムなどがあるが、近年においては滑り台やジャングルジムなどの複数の遊具をまとめて一つの遊具設備として提供されるようになってきている。この遊具設備では、複数の遊具を単に連結するのではなく、例えば滑り台の滑り板、手摺り、ジャングルジムの棒部材、柵パネル、壁パネル、床パネルなどの各種の設備構成部材を設置環境や所望のデザインなどに応じて選択して組み合わせることができるようにしていて、事前に設定された位置それぞれに円支柱を立設し、これを支承部材として遊具部分が支持されるように各種の設備構成部材の組み合わせながらそれぞれの遊具を構成している。
【０００３】
このような遊具設備において上記円支柱に設備構成部材を取り付ける場合、特に円支柱に予め連結機構を設けない場合、円支柱に対する繋ぎの部分では金属板からなる連結金具を一対にして用いられている。そして、図１３に示すようにこの連結金具１は対にして用いたときにその間に前記円支柱Ａを挟み込むように、円支柱Ａの外周面形状に対応する略円弧状の湾曲板部２と、この湾曲板部２の両端から円支柱Ａの外方側に向けて屈曲されてボルト通し孔３が開口されている受け板部４とを備えた形態を金具本体５としており、円支柱Ａに一対にして取り付けたときに対向する前記受け板部４の間に設備構成部材の連結部位（図示せず）を位置させ、受け板部４とともにボルト６とナット７とによりボルト止めするようにしている。（例えば、特許文献１参照）
【特許文献１】実開平０７−０１９５３５号公報
【発明の開示】
【発明が解決しようとする課題】
【０００４】
しかしながら、上記連結金具１を対にして円支柱にセットした場合、対向する受け板部４が円支柱Ａの外方に向けて突出した状態となるとともに、ボルト止めしたボルト６の頭部やナット７が硬質で小さな角（かど）を持った突起物となり、幼児がその部分に手を掛けるなどしたときに、ケガをしないまでも幼児に痛みを感じさせてしまう可能性がある。また、連結金具１の湾曲板部２にあっても円支柱Ａに取り付けた状態では、図１４に示すように湾曲板部２が角張った断面の凸部となるため、湾曲板部２に幼児が手を掛けた場合に周端面８の上縁９の部分が強く当って同様に痛みを感じさせてしまう可能性があった。この対策としてボルトの頭部やナット、そして連結金具の各部分の角を面取りすることが考えられるが、手間とコストが掛かるという不都合が発生する。
そこで本発明は上記事情に鑑み、連結金具及び連結に用いるボルトやナットに幼児の手や指が直接手を触れ難くなるようにすることを課題とし、ケガや痛みを生じさせない安全な連結金具を安価に得ることを目的とするものである。
【課題を解決するための手段】
【０００５】
本発明は上記課題を考慮してなされたもので、遊具設備の柵パネルなどの設備構成部材と遊具設備の支承体である円支柱とを連結する連結金具において、前記円支柱に対してこの円支柱を間に挟み込むようにして一対にして取り付けられ、金具それぞれが、円支柱の外周面形状に対応する略円弧状の湾曲板部にこの湾曲板部の両端から円支柱の外方側に向けて屈曲されてボルト通し孔が開口されている受け板部を設けて、円支柱に一対にして取り付けたときに対向する前記受け板部の間に前記設備構成部材の連結部位を位置させて受け板部とともにボルト止めする金具本体と、前記金具本体の裏面及び周端面と前記受け板部でのボルト通し孔の周囲を除く表面と前記湾曲板部での表面とに分離困難に密着して覆う弾性ゴムによる緩衝体とからなり、前記緩衝体の上面は湾曲板部頂上対応部位で曲面とするとともに、この曲面とされた湾曲板部頂上対応部位から受け板部対応部位にかけて直線状に傾斜した平面とし、ボルト通し孔対応位置に、前記弾性ゴムを非存在にしてボルト止めするボルト締付手段の受け板部上での高さ寸法より大きい寸法の深さの座ぐり部を設けたことを特徴とする遊戯設備用連結金具を提供して、上記課題を解消するものである。
【発明の効果】
【０００６】
本発明によれば、緩衝体により金具本体の小さな角（かど）となる部分が覆い隠されるとともに、ボルト止めしたときのボルトの頭部やナットが座ぐり部の内側に位置するようになるため、幼児が本連結金具に手を掛けたりしても緩衝体の緩衝効果により痛みを生じさせないようになるなど、実用性に優れた効果を奏するものである。
【発明を実施するための最良の形態】
【０００７】
つぎに本発明を図１から図１２に示す実施の形態に基づいて詳細に説明する。なお、図１３と図１４に示す従来例と構成が重複する部分は同符号を付してその説明を省略する。
図中１は連結金具で、この連結金具１は上記金具本体５と弾性ゴム製の緩衝体１０とからなるものであり、金具本体５のみで構成された従来の連結金具と同じように円支柱Ａを間に一対にして用い（図１、２参照）、設備構成部材の連結部位Ｂを連結支持する。
上記緩衝体１０はこの緩衝体１０の後述する形状が得られるようにした金型に前記金具本体５を入れて成形するインサート成形によって形成されて、金具本体５に分離不能に密着しているものである。そして、この緩衝体１０は幼児が手を本連結金具１に掛けた場合に痛みなどを生じさせないようにする目的を達成するために以下に示す形状としている。
【０００８】
本連結金具１における上記緩衝体１０は金具本体５の上面（湾曲板部２の凸となる面とこの面に連続する受け板部４の片面）側に位置していて、金具本体５の裏面１１及び周端面８と受け板部４でのボルト通し孔３の周囲を除く表面１２と湾曲板部２での表面１３とに密着してこれらの面を覆っている。そして、緩衝体１０の上面１０ａは、湾曲板部頂上対応部位１４で湾曲板部２の曲がりに応じた曲面とされているとともに、この曲面とされた湾曲板部頂上対応部位１４から両側の受け板部対応部位１５にかけて直線状に傾斜した平面とされ、金具本体５での湾曲板部２から受け板部４に渡る屈曲した部位に応じるような形状がこの緩衝体１０の上面１０ａには現れないように設けられている。
さらに緩衝体１０にあってはその外周面１０ｂが連結金具高さ方向（受け板部に対する垂線方向）に沿った立面として形成されているとともに、上面１０ａとこの外周面１０ｂとの境が全周に亘って面取り面１０ｃとして設けられている。そのため、緩衝体１０は湾曲板部２に対応する部分で、金具本体５を横断する方向で上方に向けて凸の略Ｄ字状となる断面形状とされ、その略Ｄ字状とした表面形状の連続性が本連結金具の両端まで及ぶように全体形状が整えられている。なお、緩衝体１０の上面１０ａでの受け板対応部位１５については以下の穴とした形状部分が位置しているが、その穴とした形状部分を取り囲む外面形状は前述したように略Ｄ字状とした表面形状の連続性が保たれるデザインとしている。
【０００９】
上述した緩衝体１０の受け板部対応部位１５には、ボルトを通してそのボルト頭部を位置させるための、またナットを位置させるための座ぐり部１６が設けられている。前記座ぐり部１６は緩衝体１０を成形するときに弾性ゴムが非存在となるようにすることで形成されているもので、受け板部４のボルト通し孔３とその周囲が底位置で表出する穴として設けられ、ボルト止めした際の前記ボルト頭、そしてナットが座ぐり部１６から突出しないようにそのボルト頭部とナットにおける受け板部上での高さ寸法より大きい寸法の深さに設けられている。ボルト及びナットの寸法は本連結金具１に対応したものが選択されるが、ナットが袋ナットの場合やナットが通常のものでボルトの螺旋部の端部がナットから突出するものである場合でも、これらボルト締付手段は座ぐり部から突出しないものである。
【００１０】
図８から図１２に示されているように、金具本体５において湾曲板部２と受け板部４の間の屈曲部位にはプレス成形時に同時に設けられるリブ１７が位置しており、このリブ１７が湾曲板部２と受け板部４とに亘って屈曲部位を補強している。さらにこのリブ１７が上方に向けて凸となって屈曲部位での表面積を増加させ、屈曲部位での緩衝体１０の接合割合を多くしてより確実に緩衝体１０が密着するように設けられている。
【図面の簡単な説明】
【００１１】
【図１】本発明に係る遊具設備用連結金具の一例における使用状態を示す説明図である。
【図２】一例を対の状態で示す説明図である。
【図３】一例を上方から見た状態で示す説明図である。
【図４】一例を長手方向に直交する側方から見た状態で示す説明図である。
【図５】一例を下方から見た状態で示す説明図である。
【図６】一例の端部側を示す説明図である。
【図７】一例の断面を示す説明図である。
【図８】一例における金具本体を対の状態で示す説明図である。
【図９】一例における金具本体を上方から見た状態で示す説明図である。
【図１０】一例における金具本体を長手方向に直交する側方から見た状態で示す説明図である。
【図１１】一例における金具本体を下方から見た状態で示す説明図である。
【図１２】一例における金具本体の端部側を示す説明図である。
【図１３】従来例を示す説明図である。
【図１４】円支柱表面の従来例における湾曲板部を断面の状態で示す説明図である。
【符号の説明】
【００１２】
１…連結金具
２…湾曲板部
３…ボルト通し孔
４…受け板部
５…金具本体
８…周端面
９…上縁
１０…緩衝体
１４…湾曲板部頂上対応部位
１５…受け板部対応部位
１６…座ぐり部
１７…リブ
Ａ…円支柱
【図１】
2007127204.tif 000003
【図２】
2007127204.tif 000004
【図３】
2007127204.tif 000005
【図４】
2007127204.tif 000006
【図５】
2007127204.tif 000007
【図６】
2007127204.tif 000008
【図７】
2007127204.tif 000009
【図８】
2007127204.tif 000010
【図９】
2007127204.tif 000011
【図１０】
2007127204.tif 000012
【図１１】
2007127204.tif 000013
【図１２】
2007127204.tif 000014
【図１３】
2007127204.tif 000015
【図１４】
2007127204.tif 000016